(57)【要約】【課題】  過去の番組関連情報は、録画を行わなければ見ることが出来ないとういう問題を解決する。また、録画しても番組単位の番組説明としてしか見ることが出来ないとういう問題を解決する。【解決手段】  本発明の受信装置は、記録媒体に録画していない番組に関しても放送信号から番組関連情報を抽出する抽出手段と、前記抽出された番組関連情報を記憶媒体に記憶する記憶制御手段と、既に放送し終えた番組について前記記憶媒体に記憶した前記番組関連情報を表示する表示手段とを備えたことを特徴とする。【選択図】      図１
2008035054.tif 000002
【特許請求の範囲】
【請求項１】
記録媒体に録画していない番組に関しても放送信号から番組関連情報を抽出する抽出手段と、
前記抽出された番組関連情報を記憶媒体に記憶する記憶制御手段と、
既に放送し終えた番組について前記記憶媒体に記憶した前記番組関連情報を表示する表示手段とを備えたことを特徴とする受信装置。
【請求項２】
番組のタイトルを比較することにより連続ものの番組またはシリーズの番組であることを判断する判断手段と、
前記連続ものの番組またはシリーズの番組に関する番組関連情報を１つにまとめる手段とを備え、
前記表示手段は、前記１つにまとめた番組関連情報を表示することを特徴とする請求項１記載の受信装置。
【請求項３】
前記記憶制御手段は、受信した全ての番組に関する番組関連情報を記憶媒体に記憶することを特徴とする請求項１記載の受信装置。
【請求項４】
前記記憶制御手段は、前記記録媒体に録画していない番組に関しては、所定のジャンルの番組に関する番組関連情報のみを前記記憶媒体に記憶することを特徴とする請求項１記載の受信装置。
【請求項５】
前記記憶制御手段は、前記記録媒体に録画していない番組に関しては、連続して番組を録画予約されている番組に関する番組関連情報のみを記憶媒体に記憶することを特徴とする請求項１記載の受信装置。
【請求項６】
前記記憶制御手段は、未来に放送される番組に関する番組関連情報についても記憶媒体に記憶することを特徴とする請求項１記載の受信装置。
【請求項７】
記録媒体に録画していない番組に関しても放送信号から番組関連情報を抽出し、
この抽出された番組関連情報を記憶媒体に記憶し、
既に放送し終えた番組について前記記憶媒体に記憶した前記番組関連情報を表示することを特徴とする受信装置。
【発明の詳細な説明】
【技術分野】
【０００１】
この発明は受信装置に関し、録画しなかった番組についても、放送後にあらすじ等の番組の説明を表示させることが出来る受信装置に関する。
【背景技術】
【０００２】
従来の受信装置は、番組を記録したときに、この番組に関する番組関連情報（あらすじ等の番組の説明等）を同時に記録する録画機器が知られている。このように番組関連情報（番組の放送日時、番組のあらすじ等の番組の説明、番組のジャンル等、番組に関連する情報）を同時に記録することにより、記録された番組を視聴しようとするときに番組関連情報（あらすじ等の番組の説明等）を見て、興味がある場合には記録された番組を視聴し、興味がなければ記録された番組を視聴しないというように判断することができる。
【０００３】
なお、従来、現在のシリーズ番組視聴をきっかけに視聴履歴から未視聴番組の存在を検索し、録画取得して、現在の録画番組よりも先に未視聴番組を見せうるテレビが知られている（例えば、特許文献１参照）
【特許文献１】特開２００５−１５９５７９公報
【発明の開示】
【発明が解決しようとする課題】
【０００４】
従来の受信装置においては、過去の番組関連情報は、録画を行わなければ見ることが出来ないとういう問題があった。また、録画しても番組単位の番組説明としてしか見ることが出来ないとういう問題があった。
【０００５】
この発明は、録画しなかった番組に関しても、放送された番組の番組関連情報（あらすじ等の番組の説明）を一定期間保存しておき、放送後にあらすじ等の番組の説明を表示させることが可能な受信装置を提供することを目的とする。
【課題を解決するための手段】
【０００６】
上記の目的を達成するために、この発明においては、記録媒体に録画していない番組に関しても放送信号から番組関連情報を抽出する抽出手段と、前記抽出された番組関連情報を記憶媒体に記憶する記憶制御手段と、既に放送し終えた番組について前記記憶媒体に記憶した前記番組関連情報を表示する表示手段とを備えたことを特徴とする受信装置を提供する。
【０００７】
また、上記の目的を達成するために、この発明においては、記録媒体に録画していない番組に関しても放送信号から番組関連情報を抽出し、この抽出された番組関連情報を記憶媒体に記憶し、既に放送し終えた番組について前記記憶媒体に記憶した前記番組関連情報を表示することを特徴とする受信装置を提供する。
【０００８】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、録画しなかった番組に関しても、放送された番組の番組関連情報（あらすじ等の番組の説明）については検索可能に記録しておくので、放送後にあらすじ等の番組の説明を表示させることができる。
【発明を実施するための最良の形態】
【００１０】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１４】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１５】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１６】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１７】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１８】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２１】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２２】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２３】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２４】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２５】
チューナ２４５ａは、制御部２６１からの制御信号により所望のチャンネルの放送信号を選局し、この選局された放送信号をＰＳＫ（Phase Shift Keying）復調器２４５ｂに出力する。
【００２６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２８】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３２】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３５】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３６】
また、字幕放送による字幕を表示するとき、グラフィック処理部２５４は、制御部２６１からの制御による字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４７】
ところで、この実施形態では、ＨＤＤ１２５に初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５１】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
次に、番組関連情報（あらすじ等の番組の説明）の保存について説明する。
ＥＰＧの中には、あらすじ等の番組の説明の番組関連情報も含まれている。本発明のデジタルテレビジョン放送受信装置１１１は、受信した番組関連情報（あらすじ等の番組の説明）を記憶しておき、実際の放送が終わった後でも過去の番組関連情報（あらすじ等の番組の説明）を検索して表示することが可能となっている。
【００５３】
このように過去の番組関連情報を記憶する動作について図３を用いて説明する。
図３において、受信した番組関連情報は例えばＲＡＭ２６１ｂや、ＡＶ−ＨＤＤ１４１等の記憶媒体に記憶する（ステップＳ３０１）。この記憶された番組関連情報は、例えば１年，３ヶ月等、所定期間が経過した時点で削除する（ステップＳ３０２，ステップＳ３０３）。なお、この期間については番組のジャンル毎に保存しておく期間を変えられるようにしてもよい。
【００５４】
記憶媒体に記憶する番組関連情報（あらすじ等の番組の説明）の例としては、図４に示すように（１）放送日、（２）曜日、（３）開始時刻、（４）終了時刻、（５）チャンネル、（６）ジャンル、（７）番組名、（８）あらすじ等の番組の説明、の８つをデータベースとして記憶する。
【００５５】
なお、番組関連情報のデータ取得に必要な容量としては、例えば次の通りである。
番組タイトル：ＢＳ／ＣＳ＝８０バイト、地上デジタル＝１００バイト。
番組関連情報（概要）：ＢＳ／ＣＳ＝１６０バイト、地上デジタル＝１９２バイト。
番組関連情報（詳細）：ＢＳ／ＣＳ＝３２００バイト、地上デジタル＝３５２０バイト。
そしてこのように記憶媒体に記憶された番組関連情報を検索し、検索された番組を表示してあげることにより、過去の番組関連情報（あらすじ等の番組の説明）を知ることができる。
【００５６】
なお、番組関連情報（あらすじ等の番組の説明）を記憶するときのデータベース技術や、この記憶された番組関連情報（あらすじ等の番組の説明）のデータベースから検索する技術については、既存のデータベース技術を用いればよい。
【００５７】
次に、図５を用いて番組関連情報の再生時の動作について説明する。
例えば、連続ドラマを第３話から視聴し始めた場合、過去の第１話と第２話のあらすじ等の番組の説明を知りたいとする。例えば番組名から過去のあらすじ等の番組の説明を検索して表示することが出来る。
【００５８】
ユーザは、第３話の番組名を入力し（ステップＳ４０１）、検索を実行する（ステップＳ４０２）。この入力は例えばリモートコントローラ１１７と、ソフトウェアキーボードとにより実現しても良いし、ＥＰＧにより表示された番組名を文字入力エリアへコピーさせてから検索できる仕様としても良い。これにより文字を入力する手間を省くことができる。
【００５９】
この検索の結果得られた番組関連情報（あらすじ等の番組の説明）を、例えば一覧形式で映像表示器１１４に表示する（ステップＳ４０３）。または、過去のあらすじ等の番組の説明を見ることで、興味深いドラマかを判断することが出来る。
【００６０】
（変形例１）
なお、上記の例では記憶する番組関連情報（あらすじ等の番組の説明）については、番組詳細情報が取得可能な全ての番組関連情報を記憶したが、これに代え連続シリーズと判断したすべての番組関連情報を記憶したり、ジャンル別に好みのジャンルを設定してその番組関連情報のみ記録するようにしても良い。こうすることで番組関連情報（あらすじ等の番組の説明）を記憶する記憶媒体の容量を抑えることができる。
【００６１】
（変形例２）
上記では複数の同じ番組名の連続ドラマやシリーズものの番組が検索されたときに、複数のあらすじを継ぎ足して１つにして表示するようにしてもよい。この結果、ドラマの始めから終わりまでのすべてのあらすじ等の番組の説明を一度に表示することができる。
【００６２】
また、連続ドラマを予約された番組や、毎週／毎日録画予約した番組については、データベースを複数のあらすじを継ぎ足して１つにして管理するようにしてもよい。
【００６３】
こうすることによりシリーズで検索した複数のデータを１つのデータバースの１データとして表示させることができる。
また、上記の例では記憶媒体に記憶する番組関連情報（あらすじ等の番組の説明）の例としては、図４に示すように（１）放送日、（２）曜日、（３）開始時刻、（４）終了時刻、（５）チャンネル、（６）ジャンル、（７）番組名、（８）あらすじ等の番組の説明、の８つをデータベースとして記憶させた。しかし、記憶媒体の容量が少ない場合に、特定の番組関連情報のみ保存して過去の番組関連情報として、あらすじ等の番組の説明を表示することが可能としてもよい。
【００６４】
（番組関連情報の設定メニューの一例）
また、図６および図７を用いて番組関連情報の設定メニューの一例について説明する。
図６は、番組関連情報の設定メニューのツリー構造と設定される情報を示す図。図７は、この図６の設定メニューを設定するときのＧＵＩの図を示す。
図６の番組関連情報の設定情報については、図７（ａ）〜（ｇ）のＧＵＩ設定メニューへユーザが入力することにより、任意に番組関連情報の表示方法および保存方法を設定することができる。図７（ａ）〜（ｇ）はＧＵＩメニューの階層関係および設定される値を示しており、これにより設定された設定情報は、例えば不揮発性メモリ２６１ｃに記憶され、デジタルテレビジョン放送受信装置１１１はこの設定に応じた動作を行う。
【００６５】
この設定メニューの設定に応じて、視聴した番組についてのみ番組関連情報を全て保存するようにし、この保存した番組関連情報をあらすじ等の番組の説明リストとして一覧表示可能としてもよい。
また、保存対象となるシリーズ番組設定して、そのシリーズの番組関連情報を保存し、この保存した番組関連情報はシリーズ別あらすじ等の番組の説明リストとして一覧表示可能としてもよい。
また、保存対象となるジャンルを設定して、そのジャンルの番組関連情報を保存し、この保存した番組関連情報はジャンル別あらすじ等の番組の説明リストとして一覧表示可能としてもよい。
また、保存対象となる連続ドラマ番組設定して、その連続ドラマ番組関連情報を保存し、この保存した番組関連情報は連続ドラマ別あらすじ等の番組の説明リストとして一覧表示可能としてもよい。
また、番組関連情報保持の残量が不足した場合、或いは無くなった場合は、その旨のお知らせを発行して、ユーザに不要番組の整理を促すようにしてもよい。
次に、図８を用いて番組関連情報の検索結果の表示方法について説明する。
ここでは、あらすじ等の番組の説明を検索した場合を例として説明する。
ユーザが図８（ａ）に示すように番組視聴中に図８に示すリモートコントローラ１１７の“あらすじ”ボタンを押下する。
制御部２６１はＲＯＭ２６１ａからプログラムを読出し実行することにより、図８（ｂ）に示すように現在視聴している番組の“あらすじ”を表示するための“あらすじ画面”を映像表示器１１４に表示する。
【００６６】
この図８（ｂ）の“あらすじ画面”の状態から、リモートコントローラ１１７の“ページ切換”ボタンを押下することにより、ユーザがこの視聴していた番組と同じ番組名で過去に放送されデータベースとして保存されている番組詳細情報を検索し、この検索された番組詳細情報を映像表示器１１４に表示する。
【００６７】
このとき将来放送される未来の番組についても検索して表示するようにしてもよい。このように未来の番組についても検索可能とする場合には、未来の番組に関してもデータベースとして作成しておく必要があることはいうまでもない。そしてあらすじを表示するときに、未来の番組についてはこれから先の未来に放送されるものである旨識別可能に表示（例えば文字の色を変えたり、未来マークを付す等）してあげると良い。未来かどうかについては放送時刻と現在時刻を比較することにより判別することは可能である。
【００６８】
このように番組視聴中に“あらすじ”ボタンを押下すると、その番組の過去あらすじ＋未来あらすじ情報が表示され、番組の過去あらすじ＋未来あらすじを参照することが出来るので、再放送の期待及び未来番組の期待が湧き、期待の番組を見逃さなくなる。
【００６９】
また、図８（ｂ）の“あらすじ画面”の状態から、再度リモートコントローラ１１７の“あらすじ”ボタンを押下すると、図８（ｃ）に示すように番組関連情報の保存一覧表を示す“あらすじ一覧画面”を表示する。この“あらすじ一覧画面”に表示されている番組関連情報の保存一覧表から所定の番組を選択し決定ボタンを押下することにより、ユーザは、他の番組についても図８（ｂ）に示すような“あらすじ画面”にて番組関連情報を表示することが出来る。
【００７０】
リモートコントローラ１１７の“あらすじ”ボタンを押すと、図８（ｂ）に示す現在番組のあらすじ画面と、図８（ｃ）に示すあらすじ一覧画面とがサイクリックに切換わる。
【００７１】
また、図８（ｃ）に示す“あらすじ一覧画面”では、ＧＵＩ上の“リスト切換”ボタンにカーソルを合わせて決定ボタンを押すことにより、表示形態が（１）通常表示−（２）曜日別（図８（ｃ）参照）−（３）ジャンル別−（４）連続ドラマ別−（１）通常表示−・・・、というようにサイクリックに切換わる。
【００７２】
また、ＧＵＩ上の“文字入力”ボタンを押下すると文字入力画面が表示され、入力後、入力された文字に対して検索が行われて、文字検索別一覧が表示される。
以上説明した通り本発明によれば、録画しなかった番組に関しても、放送された番組の番組関連情報（あらすじ等の番組の説明）については検索可能に記録しておくので、放送後にあらすじ等の番組の説明を表示させることができる。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７４】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】過去の番組関連情報を記憶する動作を説明するための図。
【図４】記憶媒体に記憶する番組関連情報（あらすじ等の番組の説明）の例を示す図。
【図５】番組関連情報の再生時の動作を説明するための図。
【図６】番組関連情報の設定メニューの一例を示す図。
【図７】番組関連情報の設定メニューの一例を示す図。
【図８】番組関連情報の検索結果の表示方法を説明するための図。
【符号の説明】
【００７５】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008035054.tif 000003
【図２】
2008035054.tif 000004
【図３】
2008035054.tif 000005
【図４】
2008035054.tif 000006
【図５】
2008035054.tif 000007
【図６】
2008035054.tif 000008
【図７】
2008035054.tif 000009
【図８】
2008035054.tif 000010